(57)【要約】【課題】球技用ネットを挟んで対峙する対戦者が、球技の最中において、飛翔する球を上記球技用ネットを通し見る場合でも、その視覚により上記球の動作態様をより正確に知覚できるようにして、各対戦者が個々に有する高度な技術が有効に発揮されるようにする。【解決手段】球技対戦者２２，２３の間に張設される球技用ネット２は、正面視で、千鳥状かつ連続的に配置される六角形の網目９を有するネット本体５を備える。対戦者２２，２３が、球技の最中にネット本体５を通して球技用の球２０の動作態様を視覚的に知覚可能とする。網目９の中心点１０と、この中心点１０を挟んで対向するこの網目９の一対の角部１１，１２とを通る１本の中心線１３がほぼ水平に延びるようにする。【選択図】図１
2009011644.tif 000002
【特許請求の範囲】
【請求項１】
球技対戦者の間に張設される球技用ネットであって、正面視で、千鳥状かつ連続的に配置される六角形の網目を有するネット本体を備え、上記対戦者が、球技の最中に上記ネット本体を通して球技用の球の動作態様を視覚的に知覚可能としたことを特徴とする球技用ネット。
【請求項２】
上記網目の中心点と、この中心点を挟んで対向するこの網目の一対の角部とを通る１本の中心線がほぼ水平に延びるようにしたことを特徴とする請求項１に記載の球技用ネット。
【請求項３】
上記網目を構成する６本の各紐のうち、上記中心線と平行に延びる一対の紐の太さよりも、他の４本の各紐のそれを、より小さくしたことを特徴とする請求項２に記載の球技用ネット。
【請求項４】
上記一対の角部の間の長さ（Ｌ）と、上記球の直径（Ｄ）との比（Ｌ／Ｄ）を０．４〜０．２にしたことを特徴とする請求項２に記載の球技用ネット。
【発明の詳細な説明】
【技術分野】
【０００１】
本発明は、卓球などの球技において互いの球技対戦者の間に張設される球技用ネットに関するものである。
【背景技術】
【０００２】
上記球技用ネットにおける、例えば、卓球用ネットは、卓球台の長手方向の中央部上で、この卓球台の幅方向に延びるよう張設される。具体的には、この卓球台の長手方向の中央部における幅方向各端部に立設された連結具に対し、上記卓球用ネットの長手方向の各端縁部が連結され、これにより、上記卓球用ネットが上記のように張設される。
【０００３】
上記卓球用ネットは、上記幅方向に長く延びる長方形状の布製枠体と、この枠体の内側開口を閉じるようこの枠体に支持されるネット本体とを備えている。
【０００４】
また、上記ネット本体は、従来、正面視で、上記枠体の幅方向（高さ方向）の全体にわたり鉛直方向に延びる長尺の縦紐と、上記枠体の長手方向の全体にわたり水平方向に延びる長尺の横紐とが組み付けられたような構造とされている。つまり、このネット本体の各網目は四角形とされ、ネット本体を全体として見れば、碁盤目形状とされている。
【０００５】
卓球の球技をするに際しては、上記卓球台と卓球用ネットとを挟んで両対戦者が対峙する。これら両対戦者のうち、手前の対戦者は、相手の対戦者から上記卓球用ネットを越えて卓球台の手前側の上面に打ち込まれて跳ねた球を、上記卓球用ネットを越えて卓球台の相手側の上面に向けて打ち返すこととされ、これらが繰り返されることにより球技が行われる。
【０００６】
なお、球技用ネットではないが、従来、防球ネットに関し、下記特許文献１に示されるものがある。この公報のものによれば、上記防球ネットは、千鳥状かつ連続的に配置される六角形の網目を有するネット本体を備えている。このネット本体は、競技場や練習場で使用されている球が、場外へ飛び出すことを防止するよう用いられる。
【特許文献１】特開平５−１０６１４８号公報
【発明の開示】
【発明が解決しようとする課題】
【０００７】
ところで、上記卓球の球技において、例えば、相手の対戦者が球を打つとき、そのときの打球点が卓球台の上面より低い場合には、球を打つ瞬間の前後では、手前の対戦者は上記球を上記卓球用ネットを通して見ることがある。
【０００８】
ここで、上記球は、ストレート打ちであろうと、クロス打ちであろうと、一般に、水平方向と上下方向との２次元で飛翔動作をすることが多い。このため、この球の飛翔軌跡は縦向きになりがちであることから、手前の対戦者が上記のように卓球用ネットを通して球を見る場合、上記飛翔軌跡の外縁が、上記卓球用ネットの縦紐に合致して、この縦紐の裏に大きく隠れることがある。この場合、手前の対戦者は、球の飛翔方向、飛翔速度、および自転方向などの動作態様を一瞬見誤るおそれが生じる。そして、これは、各対戦者が個々に有する高度な技術の発揮を阻害するものであって好ましくない。
【０００９】
しかも、卓球における球の飛翔速度は７０ｋｍ／ｈ以上に達することもあり、この場合、上記不都合の発生のおそれは倍加する。
【００１０】
なお、前記従来の技術において説明の特許文献１の防球ネットは、上記卓球用ネットにいう長尺の縦紐に相当するものを有しておらず、また、網目を通しての透視が容易にでき、かつ、網目を通したときの景観が良いものとされている。
【００１１】
しかし、互いの対戦者の間に挟まれ、球技の最中に各対戦者がネット本体を通し、飛翔する球を見ることがある球技用ネットというものに対し、単に防球を目的とする上記防球ネットを適用することの可能性につき、上記特許文献１には何らの示唆も動機付けも示されていない。
【課題を解決するための手段】
【００１２】
本発明は、上記のような事情に注目してなされたもので、本発明の目的は、球技用ネットを挟んで対峙する対戦者が、球技の最中において、飛翔する球を上記球技用ネットを通し見る場合でも、その視覚により上記球の動作態様をより正確に知覚できるようにして、各対戦者が個々に有する高度な技術が有効に発揮されるようにすることである。
【００１３】
請求項１の発明は、球技対戦者２２，２３の間に張設される球技用ネットであって、正面視（図１）で、千鳥状かつ連続的に配置される六角形の網目９を有するネット本体５を備え、上記対戦者２２，２３が、球技の最中に上記ネット本体５を通して球技用の球２０の動作態様を視覚的に知覚可能としたことを特徴とする球技用ネットである。
【００１４】
請求項２の発明は、上記網目９の中心点１０と、この中心点１０を挟んで対向するこの網目９の一対の角部１１，１２とを通る１本の中心線１３がほぼ水平に延びるようにしたことを特徴とする請求項１に記載の球技用ネットである。
【００１５】
請求項３の発明は、上記網目９を構成する６本の各紐１６，１７のうち、上記中心線１３と平行に延びる一対の紐１６，１６の太さよりも、他の４本の各紐１７のそれを、より小さくしたことを特徴とする請求項２に記載の球技用ネットである。
【００１６】
請求項４の発明は、上記一対の角部１１，１２の間の長さＬと、上記球２０の直径Ｄとの比（Ｌ／Ｄ）を０．４〜０．２にしたことを特徴とする請求項２に記載の球技用ネットである。
【００１７】
なお、この項において、上記各用語に付記した符号や図面番号は、本発明の技術的範囲を後述の「実施例」の項や図面の内容に限定解釈するものではない。
【発明の効果】
【００１８】
本発明による効果は、次の如くである。
【００１９】
請求項１の発明は、球技対戦者の間に張設される球技用ネットであって、正面視で、千鳥状かつ連続的に配置される六角形の網目を有するネット本体を備え、上記対戦者が、球技の最中に上記ネット本体を通して球技用の球の動作態様を視覚的に知覚可能としており、次に効果が生じる。
【００２０】
即ち、球技に際し、上記球技用ネットを挟んで対峙した対戦者のうち、手前の対戦者に対し相手の対戦者が球を打つ前後において、手前の対戦者は上記球を上記球技用ネットのネット本体を通して見ることがある。
【００２１】
ここで、上記したように球技用ネットのネット本体の各網目は六角形をなしていて、上記球技用ネットには、この球技用ネットの上端から下端への全体にわたり直線的に延びる縦紐に相当するものは存在しない。一方、上記球は、一般に、水平方向と上下方向との２次元で縦向きに飛翔動作をすることが多い。
【００２２】
このため、手前の対戦者が、上記のように球技用ネットを通して球を見る場合に、この球の縦向きの飛翔軌跡の外縁が上記球技用ネットの縦紐相当材に合致して、この縦紐相当材の裏に大きく隠れる、ということは防止される。
【００２３】
よって、球技用ネットを挟んで対峙する対戦者が、球技の最中において、飛翔する球を上記球技用ネットを通し見る場合でも、その視覚により上記球の動作態様をより正確に知覚できる。このため、この球２０に対し、各対戦者は個々に有する高度な技術を有効に発揮でき、これは球技とその観客とにとって極めて有益である。
【００２４】
請求項２の発明は、上記網目の中心点と、この中心点を挟んで対向するこの網目の一対の角部とを通る１本の中心線がほぼ水平に延びるようにしている。
【００２５】
このため、上記各網目を構成する６本の各紐のうち、上記中心線と平行に延びる一対の紐はほぼ水平に延び、他の４本の各紐は、鉛直線に対し傾斜する。
【００２６】
よって、上記球の縦向きの飛翔軌跡の外縁が上記各紐の裏に隠れる、ということはより確実に防止される。このため、上記手前の対戦者にとって、上記球の動作態様は更に正確に知覚できる。
【００２７】
請求項３の発明は、上記網目を構成する６本の各紐のうち、上記中心線と平行に延びる一対の紐の太さよりも、他の４本の各紐のそれを、より小さくしている。
【００２８】
ここで、上記球技用ネットのネット本体の強度を向上させようとして、上記中心線と平行に延びる各紐の太さをある程度大きくしたとしても、これら各紐はほぼ水平に延びていて、これら各紐と上記球の縦向きの飛翔軌跡とは、手前の対戦者の視覚上、互いにほぼ直交する。このため、上記球の縦向きの飛翔軌跡の外縁が上記各紐の裏に隠れる、ということはより確実に防止される。
【００２９】
一方、上記他の各紐は鉛直線に対し傾斜している。このため、上記中心線と平行に延びる各紐と比較した場合、上記他の各紐の裏に上記球の縦向きの飛翔軌跡の外縁が隠れる割り合いは大きくなりがちである。しかし、上記したように、上記他の各紐の太さは、上記中心線と平行に延びる各紐の太さより小さいため、上記他の各紐の裏に上記球の縦向きの飛翔軌跡の外縁が大きく隠れる、ということはより確実に防止される。
【００３０】
つまり、上記中心線と平行に延びる各紐の太さをある程度大きくして、球技用ネットの強度を向上させた場合でも、対戦者にとって、上記球の動作態様は十分に正確に知覚できる。
【００３１】
請求項４の発明は、上記一対の角部の間の長さ（Ｌ）と、上記球の直径（Ｄ）との比（Ｌ／Ｄ）を０．４〜０．２にしている。
【００３２】
ここで、上記比を０．４以上にすると、上記球技用ネットのネット本体の各部の強度が低下して、全体的な保形がし難くなる。一方、上記比を０．２未満にすると、対戦者が上記球技用ネットのネット本体を通して球を見るとき、ネット本体が視覚的な邪魔になって、上記球の動作態様の正確な知覚がし難くなる。そこで、上記比を上記値の範囲としたのである。
【発明を実施するための最良の形態】
【００３３】
本発明の球技用ネットに関し、球技用ネットを挟んで対峙する対戦者が、球技の最中において、飛翔する球を上記球技用ネットを通し見る場合でも、その視覚により上記球の動作態様をより正確に知覚できるようにして、各対戦者が個々に有する高度な技術が有効に発揮されるようにする、という目的を実現するため、本発明を実施するための最良の形態は、次の如くである。
【００３４】
即ち、球技対戦者の間に張設される球技用ネットは、正面視で、千鳥状かつ連続的に配置される六角形の網目を有するネット本体を備える。上記対戦者が、球技の最中に上記ネット本体を通して球技用の球の動作態様を視覚的に知覚可能とする。
【実施例】
【００３５】
本発明をより詳細に説明するために、その実施例を添付の図に従って説明する。
【００３６】
図において、符号１は卓球台であり、２は卓球用ネットで例示される球技用ネットである。この球技用ネット２は、上記卓球台１の長手方向の中央部上で、この卓球台１の幅方向に延びるよう張設される。具体的には、この卓球台１の長手方向の中央部における幅方向の各端部に立設された連結具３に対し、上記球技用ネット２の長手方向の各端縁部が連結され、これにより、上記球技用ネット２が上記のように張設される。
【００３７】
上記球技用ネット２は、上記幅方向に長く延びる長方形状の布製枠体４と、この枠体４の内側開口を閉じるようこの枠体４に支持されるネット本体５と、このネット本体５の各角部に取り付けられ、上記球技用ネット２の各端縁部を上記連結具３に連結させるロープを貫通可能とするリング６とを備えている。
【００３８】
また、上記ネット本体５は、正面視（図１）で、千鳥状かつ整然と連続的に配置される六角形の網目９を有している。この網目９はほぼ正六角形で互いに同形同大とされている。また、上記網目９の中心点１０と、この中心点１０を挟んで対向するこの網目９の一対の角部１１，１２とを通る１本の中心線１３は、ほぼ水平に延びている。
【００３９】
上記網目９を構成する６本の各紐１６，１７のうち、上記中心線１３の上、下方に位置して、この中心線１３と平行に延びる一対の紐１６，１６は、上記中心線１３と平行に延び、つまり、ほぼ水平に延びている。また、他の４本の各紐１７は、上記各角部１１，１２からそれぞれ上記中心線１３に対しほぼ６０°の角度で延出して上記各紐１６の端部に連結され、つまり、鉛直線に対しほぼ３０°の交角で傾斜している。これにより、上記ネット本体５を全体として見れば、このネット本体５はハニカム形状とされている。
【００４０】
また、上記各紐１６，１７を形成する糸の本数が互いに相違している。これにより、各紐１６，１７の自由状態で、これら各紐１６，１７のうち、上記中心線１３と平行に延びる各紐１６の太さ（１．２〜１．８ｍｍ）よりも、上記他の各紐１７の太さ（０．８〜１．２ｍｍ）がより小さくされている。
【００４１】
上記一対の角部１１，１２の間の長さＬと、上記卓球に用いられる球技用の球２０の直径Ｄ（３８ｍｍ）との比（Ｌ／Ｄ）は０．４〜０．２とされている。
【００４２】
卓球の球技に際し、上記卓球台１と球技用ネット２とを挟んで対峙した対戦者２２，２３のうち、手前の対戦者２２に対し相手の対戦者２３が球２０を打つ前後において、手前の対戦者２２は上記球２０を上記球技用ネット２のネット本体５を通して見ることがある。
【００４３】
ここで、上記したように球技用ネット２のネット本体５の各網目９は六角形をなしていて、上記球技用ネット２には、この球技用ネット２の上端から下端への全体にわたり直線的に延びる縦紐に相当するものは存在しない。一方、上記球２０は、一般に、水平方向と上下方向との２次元で縦向きに飛翔動作をすることが多い。
【００４４】
このため、手前の対戦者２２が、上記のように球技用ネット２を通して球２０を見る場合に、この球２０の縦向きの飛翔軌跡２５の外縁が上記球技用ネット２の縦紐相当材に合致して、この縦紐相当材の裏に大きく隠れる、ということは防止される。
【００４５】
よって、球技用ネット２を挟んで対峙する対戦者２２，２３が、球技の最中において、飛翔する球２０を上記球技用ネット２を通し見る場合でも、その視覚により上記球２０の動作態様をより正確に知覚できる。このため、この球２０に対し、各対戦者２２，２３は個々に有する高度な技術を有効に発揮でき、これは、球技とその観客とにとって極めて有益である。
【００４６】
また、前記したように、網目９の中心点１０と、この中心点１０を挟んで対向するこの網目９の一対の角部１１，１２とを通る１本の中心線１３がほぼ水平に延びるようにしている。
【００４７】
このため、上記各網目９を構成する６本の各紐１６，１７のうち、上記中心線１３と平行に延びる一対の紐１６，１６はほぼ水平に延び、他の４本の各紐１７は、鉛直線に対し傾斜する。
【００４８】
よって、上記球２０の縦向きの飛翔軌跡２５の外縁が上記各紐１６，１７の裏に隠れる、ということはより確実に防止される。このため、上記手前の対戦者２２にとって、上記球２０の動作態様は更に正確に知覚できる。
【００４９】
また、前記したように、網目９を構成する６本の各紐１６，１７のうち、上記中心線１３と平行に延びる一対の紐１６，１６の太さよりも、他の４本の各紐１７のそれを、より小さくしている。
【００５０】
ここで、上記球技用ネット２のネット本体５の強度を向上させようとして、上記中心線１３と平行に延びる各紐１６の太さをある程度大きくしたとしても、これら各紐１６はほぼ水平に延びていて、これら各紐１６と上記球２０の縦向きの飛翔軌跡２５とは、手前の対戦者２２の視覚上、互いにほぼ直交する。このため、上記球２０の縦向きの飛翔軌跡２５の外縁が上記各紐１６の裏に隠れる、ということはより確実に防止される。
【００５１】
一方、上記他の各紐１７は鉛直線に対し傾斜している。このため、上記中心線１３と平行に延びる各紐１６と比較した場合、上記他の各紐１７の裏に上記球２０の縦向きの飛翔軌跡２５の外縁が隠れる割り合いは大きくなりがちである。しかし、上記したように、上記他の各紐１７の太さは、上記中心線１３と平行に延びる各紐１６の太さより小さいため、上記他の各紐１７の裏に上記球２０の縦向きの飛翔軌跡２５の外縁が大きく隠れる、ということはより確実に防止される。
【００５２】
つまり、上記中心線１３と平行に延びる各紐１６の太さをある程度大きくして、球技用ネット２の強度を向上させた場合でも、対戦者２２にとって、上記球２０の動作態様は十分に正確に知覚できる。
【００５３】
また、前記したように、上記一対の角部１１，１２の間の長さＬと、上記球２０の直径Ｄとの比（Ｌ／Ｄ）を０．４〜０．２にしている。
【００５４】
ここで、上記比（Ｌ／Ｄ）を０．４以上にすると、上記球技用ネット２のネット本体５の各部の強度が低下して、全体的な保形がし難くなる。一方、上記比（Ｌ／Ｄ）を０．２未満にすると、手前の対戦者２２が上記球技用ネット２のネット本体５を通して球２０を見るとき、ネット本体５が視覚的な邪魔になって、上記球２０の動作態様の正確な知覚がし難くなる。そこで、上記比（Ｌ／Ｄ）を上記値の範囲としたのである。
【００５５】
なお、以上は図示の例によるが、上記球技用ネット２はテニス用、バレー用、バトミントン用などであってもよい。また、上記中心線１３は縦方向や傾斜方向に延びていてもよい。
【図面の簡単な説明】
【００５６】
【図１】球技用ネットの正面部分図である。
【図２】卓球台と球技用ネットとの斜視図である。
【符号の説明】
【００５７】
１    卓球台
２    球技用ネット
４    枠体
５    ネット本体
９    網目
１０  中心点
１１  角部
１２  角部
１３  中心線
１６  紐
１７  紐
２０  球
２２  対戦者
２３  対戦者
２５  飛翔軌跡
Ｌ    長さ
Ｄ    直径
【図１】
2009011644.tif 000003
【図２】
2009011644.tif 000004